(57)【要約】
【課題】  個性的でデザイン性に優れた結婚式用印刷物を提供する。
【解決手段】  披露宴用招待状１は、カード２とこのカード２を包む表紙３から成り、表紙３を折り畳んでカード２を包み込む。カード２の裏面側にイラスト部７を形成し、これを表紙３に形成する窓部から視認する。これにより、平面的な紙面にイラスト部を形成する場合に比べて立体的なイラスト部７を形成することができ、従来の有り触れた結婚式用印刷物にはない斬新なデザインとすることができ、個性的でユニークな披露宴用招待状１を提供できる。
【選択図】        図１
0003101125.tif 000002
【実用新案登録請求の範囲】
【請求項１】
少なくとも結婚式の披露宴用招待状、席次表、披露宴用メニューを備えた結婚式用印刷物であって、前記披露宴用招待状、席次表、披露宴用メニューの表面側に複数の窓部を設け、披露宴用招待状、席次表、披露宴用メニューの内側に前記窓部に対応したイラスト部を形成したことを特徴とする結婚式用印刷物。
【請求項２】
前記披露宴用招待状が少なくともカードと、このカードを包み込むよう折り畳んだ表紙によって構成し、表紙に前記窓部を設け、前記カードに前記イラスト部を形成したことを特徴とする請求項１記載の結婚式用印刷物。
【請求項３】
前記席次表が席次等の必要な文字が印刷された内紙と、この内紙を包み込む表紙によって構成し、その表紙の表面を複数層に重ね合わせて構成し、その重ね合わせ部の表面側に前記窓部を設けるとともに、重ね合わせ部の裏面側に前記イラスト部を形成したことを特徴とする請求項１記載の結婚式用印刷物。
【請求項４】
前記披露宴用メニューがメニュー等の必要な文字が印刷された内紙と、この内紙を包み込む表紙によって構成し、その表紙に前記窓部を設け、前記内紙の裏面側に前記イラスト部を形成したことを特徴とする請求項１記載の結婚式用印刷物。
【考案の詳細な説明】
【技術分野】
【０００１】
本考案は、結婚式・披露宴で使用する招待状、席次表、披露宴用メニュー及びそれに関連する各種書類を含めた結婚式用印刷物に関する。
【背景技術】
【０００２】
近年、結婚式・披露宴で使用する招待状、席次表、披露宴で提供される会食用のメニューなどは使用する紙質やデザイン、色調などが統一され、これがセットとして使用者に提供されている。このような結婚式用印刷物は、利用者が複数の規格化されたセットのうち、気に入った結婚式用印刷物を選択するようにしている。
【考案の開示】
【考案が解決しようとする課題】
【０００３】
しかしながら、こうした結婚式用印刷物は、デザイン的に平凡なものが多く、また、結婚という幸福感に溢れたイメージを強く印象付けるデザインも少ない。
【０００４】
そこで、本考案は上記のような従来技術の問題点に鑑みて、個性的であるとともに、結婚を強く印象付けることができる結婚式用印刷物を提供することを目的とする。
【課題を解決するための手段】
【０００５】
上記目的を達成するために、本考案の結婚式用印刷物は、少なくとも結婚式の披露宴用招待状、席次表、披露宴用メニューを備えた結婚式用印刷物であって、前記披露宴用招待状、席次表、披露宴用メニューの表面側に複数の窓部を設け、披露宴用招待状、席次表、披露宴用メニューの内面側に前記窓部に対応したイラスト部を形成したものである。
【０００６】
このように構成した本考案に係る結婚式用印刷物によれば、窓部を通してイラスト部を視認させることによって、直接、表面にイラスト部を形成する場合に比べ、立体的なイラスト部となる。
【０００７】
ここで、前記披露宴用招待状が少なくともカードと、このカードを包み込むよう折り畳んだ表紙によって構成し、表紙の中央部に前記窓部を設け、前記カードの裏面に前記イラスト部を形成してもよい。
【０００８】
このように構成した本考案に係る結婚式用印刷物によれば、披露宴用招待状に立体的なイラスト部を形成することができる。
【０００９】
また、前記席次表が席次等の必要な文字が印刷された内紙と、この内紙を包み込む表紙によって構成し、その表紙の表面を複数層に重ね合わせて構成し、その重ね合わせ部の表面側に前記窓部を設けるとともに、重ね合わせ部の裏面側に前記イラスト部を形成したものであってもよい。
【００１０】
このように構成した本考案に係る結婚式用印刷物によれば、席次表に立体的なイラスト部を形成することができる。
【００１１】
さらに、前記披露宴用メニューがメニュー等の必要な文字が印刷された内紙と、この内紙を包み込む表紙によって構成し、その表紙に前記窓部を設け、前記内紙の裏面側に前記イラスト部を形成したものであってもよい。
【００１２】
このように構成した本考案に係る結婚式用印刷物によれば、披露宴用メニューに立体的なイラスト部を形成することができる。
【考案の効果】
【００１３】
本考案の請求項１に記載の結婚式用印刷物は、少なくとも結婚式の披露宴用招待状、席次表、披露宴用メニューを備えた結婚式用印刷物であって、前記披露宴用招待状、席次表、披露宴用メニューの表面側に複数の窓部を設け、披露宴用招待状、席次表、披露宴用メニューの内面側に前記窓部に対応したイラスト部を形成したものであるから、平面的な紙面に立体的なイラスト部を形成することができ、個性的にユニークなデザインの結婚式用印刷物を提供できる。
【００１４】
本考案の請求項２に記載の結婚式用印刷物は、請求項１に記載の結婚式用印刷物において、前記披露宴用招待状が少なくともカードと、このカードを包み込むよう折り畳んだ表紙によって構成し、表紙に前記窓部を設け、前記カードに前記イラスト部を形成したものであるから、披露宴用招待状に立体的なイラスト部を形成することができ、個性的にユニークなデザインの披露宴用招待状を提供できる。
【００１５】
本考案の請求項３に記載の結婚式用印刷物は、請求項１に記載の結婚式用印刷物において、前記席次表が席次等の必要な文字が印刷された内紙と、この内紙を包み込む表紙によって構成し、その表紙の表面を複数層に重ね合わせて構成し、その重ね合わせ部の表面側に前記窓部を設けるとともに、重ね合わせ部の裏面側に前記イラスト部を形成したものであるから、席次表に立体的なイラスト部を形成することができ、個性的にユニークなデザインの席次表を提供できる。
【００１６】
本考案の請求項４に記載の結婚式用印刷物は、請求項１に記載の結婚式用印刷物において、前記披露宴用メニューがメニュー等の必要な文字が印刷された内紙と、この内紙を包み込む表紙によって構成し、その表紙に前記窓部を設け、前記内紙の裏面側に前記イラスト部を形成したものであるから、披露宴用メニューに立体的なイラスト部を形成することができ、個性的にユニークなデザインの披露宴用メニューを提供できる。
【考案を実施するための最良の形態】
【００１７】
以下図面を参照して、本考案の好適な実施形態について説明する。
【００１８】
まず、本考案に係る結婚式用印刷物の一実施形態の構成について、添付図面を参照して説明する。
【００１９】
本考案に係る結婚式用印刷物は、披露宴用招待状１、席次表10、披露宴用メニュー20からなる。
【００２０】
図１及び図２に示すように、披露宴用招待状１は、カード２とこのカード２を包む表紙３から成り、表紙３は左右に間隔をおいて平行する折り目４,５が形成され、その折り目４,５に沿ってカード２を包み込むように表紙３を三つ折りに折り畳む。
【００２１】
また、折り目４,５間に形成された中央部３Ａには上下左右に複数の窓部６が規則的に形成されるとともに、折り目４,５の両側に形成される左右の折り返し部３Ｂ,３Ｃには挨拶文や招待文などの文字１ａが印刷されている。そして、カード２の裏面側に前記窓部６に対応した位置にイラスト部７が形成されている。そして、カード２を包み込むように表紙３は平行する折り目４,５に沿って折り畳むことにより、図２に示すように、イラスト部７が前記窓部６と重なって窓部６を通してイラスト部７が視認される。
【００２２】
席次表10は図３に示すように、席次などの文字11が印刷された内紙12と、この内紙12を包む筒状の表紙13から成る。表紙13は図３（ｂ）で示すように、上下が開口するように筒状に貼り合わせるとともに、席次表10の表面側は表面紙13Ａと裏面紙13Ｂを重ね合わせて構成されている。そして、表面紙13Ａに上下左右に複数の窓部14が規則的に形成するとともに、裏面紙13Ｂには前記窓部14に対応した位置にイラスト部15を形成している。そして、内紙12を折り畳み、貼り合わせた表紙13の内部に収納する。なお、表紙13の上縁には内部に収納した内紙12を取り出しやすいように半円状の切り欠き凹部16を形成している。
【００２３】
披露宴用メニュー20は図５に示すように、メニュー等の文字21が印刷された内紙22と、この内紙を包む表紙23と成り、表紙23は上下が開口するように筒状に貼り合わせている。そして、表紙23の表面側に上下左右に複数の窓部24が規則的に形成し、内紙22の裏面側の前記窓部24に対応した位置にイラスト部25を形成している。そして、内紙22を貼り合わせた表紙23の内部に収納する。なお、表紙23の上縁には内部に収納した内紙22を取り出しやすいように半円状の切り欠き凹部26を形成している。
【００２４】
このように、披露宴用招待状１、席次表10、披露宴用メニュー20からなる結婚式用印刷物において、それぞれの窓部６,14,24から裏側に位置するイラスト部７,15,25が視認される。このように、窓部６,14,24を通してイラスト部７,15,25が視認させることにより、平面的な紙面にイラスト部を形成する場合に比べてそれぞれの立体的なイラスト部７,15,25を形成することができ、従来の有り触れた結婚式用印刷物にはない斬新なデザインとすることができ、個性的でユニークな披露宴用招待状１、席次表10、披露宴用メニュー20を提供することができる。
【００２５】
また、従来、席次表や披露宴用メニューは見開き式のものが一般的であるが、このような見開き式のものは、内側に入れる内紙12,22の大きさに限界があるが、本考案では、席次やメニューを印刷した内紙12,22を筒状の表紙13,23の内部に折り畳んで収納する構成であるから、内紙12,22の大きさにより制約がない。また、表紙13,23に半円状の切り欠き凹部16,26を形成することで収納した内紙12,22も取り出しやすい。
【００２６】
以上、本考案に係る結婚式用印刷物について添付図面を参照して説明してきたが、本考案は上記実施形態に限定されるものではなく、本考案の思想の範囲内で種々の変形実施が可能である。例えば、披露宴用招待状１、席次表10、披露宴用メニュー20の形状、デザイン、レイアウトなどは適宜選定すればよい。
【図面の簡単な説明】
【００２７】
【図１】本考案に係る披露宴用招待状を開いた状態の正面図である。
【図２】本考案に係る披露宴用招待状を閉じた状態の正面図である。
【図３】本考案に係る席次表の構成を示し、図３（ａ）は席次表の正面図、図３（ｂ）は席次表の平面図である。
【図４】本考案に係る席次表の内紙を開いた状態の正面図である。
【図５】披露宴用メニューの構成を示し、図４（ａ）は内紙を挿入する前の状態を示す正面図、図４（ｂ）は表紙の内部に内紙を挿入した状態を示す正面図である。
【符号の説明】
【００２８】
１      披露宴用招待状
２      カード
３,12,23      内紙
４,13,13      表紙
６,14,24      窓部
７,15,25      イラスト部
10      席次表
20      披露宴用メニュー20
【図１】
0003101125.tif 000003
【図２】
0003101125.tif 000004
【図３】
0003101125.tif 000005
【図４】
0003101125.tif 000006
【図５】
0003101125.tif 000007